(57)【要約】【課題】リードの接続を確実に保持するとともに、ケース内に収納された素電池の高さをほぼ均一に揃えることができる電池収納ボックスおよび電源ユニットを提供する。【解決手段】複数の電池６２を略コ字状に横並べし各電池６２の電極相互間をリード１２１により接続した電池ユニットを、略コ字状の電池ケース６０に収納する電池収納ボックスであって、電池ケース６０の内底部の両側に形成されて電池６２の内底部側端部を支持することにより電池ケース６０の内底面と電池６２との間にリード１２１が通るスペースを形成するリブ１２２を設けている。【選択図】  図１
2004185842.tif 000002
【特許請求の範囲】
【請求項１】
複数の素電池を略コ字状に横並べし各素電池の電極相互間をリードにより接続した電池ユニットを略コ字状の電池ケースに収納する電池収納ボックスであって、前記電池ケースの内底部の両側に形成されて前記素電池の前記内底部側端部を支持することにより前記電池ケースの内底面と前記素電池との間に前記リードが通るスペースを形成するリブを設けたことを特徴とする電池収納ボックス。
【請求項２】
前記電池ケースは略コ字状の内側に回路ブロックユニットを配置する大きさを有し、前記電池ケースの端部に前記回路ブロックユニットと電気的接続を行うためのコネクタ保持部を有し、前記コネクタ保持部はコネクタ部を挿入させる凹部を有し、前記凹部の内側面にコネクタ部を抜止め係止する爪部を有し、前記凹部の前記回路ブロックユニット側の側壁の前記爪部の両側にスリットを設けて前記爪部を弾性変形可能にした請求項１記載の電池収納ボックス。
【請求項３】
前記電池ケースは一側部に略コ字形の開口部を有し、前記開口部を塞ぐ略コ字形の蓋部を有し、前記電池ケースの内側面に前記電池ユニットの前記素電池を保持する縦リブを有し、前記縦リブに前記蓋部に設けた係止爪を受ける爪受け部を設けた請求項２記載の電池収納ボックス。
【請求項４】
請求項１、請求項２または請求項３記載の電池収納ボックス内に前記電池ユニットを収納し、前記電池ユニットの略コ字状の略中央の２つの前記素電池間をヒューズを介して接続するとともに前記ヒューズを前記２つの素電池上にまたがって前記蓋部側に配置した電源ユニット。
【請求項５】
前記蓋部の前記ヒューズが位置する部位に前記ヒューズを着脱するためのヒューズ出し入れ用開口部を設け、前記ヒューズ出し入れ用開口部の周縁の少なくとも一部に障壁を設けた請求項４記載の電源ユニット。
【発明の詳細な説明】
【０００１】
【発明の属する技術分野】
本発明は、非常用照明器具の電池ユニット（電池パック）を収納する電池収納ボックスおよびそれを含む電源ユニットに関するものである。
【０００２】
【従来の技術】
従来より天井面に取付けられる非常用照明器具で、器具高さを低くし、施工スペースが少なくてすむように、筒形の器具本体の径方向に回路ブロックと電池ケースを分配したもの（特許文献１参照）や、略Ｃ字形の電池ユニットの内側に回路ブロックを配置したもの（特許文献２参照）があった。
【０００３】
【特許文献１】
特開平１１−１７６２１７号公報
【特許文献２】
特開平５−１９０００７号公報
【０００４】
【発明が解決しようとする課題】
後者の従来例は、略Ｃ字状の電池ユニットの両端の一方にコネクタ保持部があり、他方にヒューズが配置され、ヒューズは直列接続した電池群の端部に電気的に接続されていた。コネクタ保持部はコネクタを圧入して取付けていた。
【０００５】
また電池ケース内には素電池を保持する略円柱状のリブがあるが、電池ケースの略コ字形の開口部を塞ぐ蓋部の固定はねじ止めまたは溶着によるものであった。
【０００６】
さらに素電池間はリードをスポット溶接等により電気接続しているため、電池ケース内に収納すると電池ケース内の内底部に電池に接続したリードが当たり、リードが外れるおそれがあるとともに、リードが内底部に介在されるため電池ケース内に収納された素電池の高さがほぼ均一にならないという欠点があった。
【０００７】
本発明は、上記の点に鑑みて成されたものであり、その目的とするところは、リードの接続を確実に保持するとともに、ケース内に収納された素電池の高さをほぼ均一に揃えることができる電池収納ボックスおよび電源ユニットを提供することにある。
【０００８】
【課題を解決するための手段】
請求項１記載の電池収納ボックスは、複数の素電池を略コ字状に横並べし各素電池の電極相互間をリードにより接続した電池ユニットを略コ字状の電池ケースに収納する電池収納ボックスであって、前記電池ケースの内底部の両側に形成されて前記素電池の前記内底部側端部を支持するとともに前記電池ケースの内底面と前記素電池との間に前記リードが通るスペースを形成するリブを設けたことを特徴とするものである。
【０００９】
請求項１記載の電池収納ボックスによれば、電池ケースの内底部にリブを設け、リブで各素電池の内端部を支持し、リブ間にリードが通るスペースを形成したため、素電池の外端部側の高さをほぼ均一に揃えることができるとともに、リードが内底部に素電池により押付けられないので外れるおそれがなく、接続の確実性を保持することができ、例えばスポット溶接等の接続の信頼性が向上できる。またリブにより電池ケースの内底部を補強することができ、剛性強度を向上できる。
【００１０】
請求項２記載の電池収納ボックスは、請求項１において、前記電池ケースが略コ字状の内側に回路ブロックユニットを配置する大きさを有し、前記電池ケースの端部に前記回路ブロックユニットと電気的接続を行うためのコネクタ保持部を有し、前記コネクタ保持部はコネクタ部を挿入させる凹部を有し、前記凹部の内側面にコネクタ部を抜止め係止する爪部を有し、前記凹部の前記回路ブロックユニット側の側壁の前記爪部の両側にスリットを設けて前記爪部を弾性変形可能にしたものである。
【００１１】
請求項２記載の電池収納ボックスによれば、請求項１と同様な効果のほか、コネクタをコネクタ保持部の凹部に押し込む際に一側壁の爪部が両側のスリットにより分離されているためたとえば樹脂弾性により可動になるので圧入容易になる。したがって爪部によりコネクタが外れにくい構造でありながら取付性がよくなる。
【００１２】
請求項３記載の電池収納ボックスは、請求項２において、前記電池ケースが一側部に略コ字形の開口部を有し、前記開口部を塞ぐ略コ字形の蓋部を有し、前記電池ケースの内側面に前記電池ユニットの前記素電池を保持する縦リブを有し、前記縦リブに前記蓋部に設けた係止爪を受ける爪受け部を設けたものである。
【００１３】
請求項３記載の電池収納ボックスによれば、請求項２と同様な効果のほか、蓋部の係止爪を爪受け部に係止することにより蓋部を閉じることができるので作業容易になる。
【００１４】
請求項４記載の電源ユニットは、請求項１、請求項２または請求項３記載の電池収納ボックス内に前記電池ユニットを収納し、前記電池ユニットの略コ字状の略中央の２つの前記素電池間をヒューズを介して接続するとともに前記ヒューズを前記２つの素電池上にまたがって前記蓋部側に配置したものである。
【００１５】
請求項４記載の電源ユニットによれば、ヒューズの取付位置により、あらゆる電池本数に対応した電池ユニットを構成でき、重心バランスが良く、しかも電圧降下をより低減できる。
【００１６】
請求項５記載の電源ユニットは、請求項４において、前記蓋部の前記ヒューズが位置する部位に前記ヒューズを着脱するためのヒューズ出し入れ用開口部を設け、前記ヒューズ出し入れ用開口部の周縁の少なくとも一部に障壁を設けたものである。
【００１７】
請求項５記載の電源ユニットによれば、請求項４と同様な効果のほか、ヒューズ出し入れ用開口部からヒューズの交換が容易にできるとともに、障壁により不用意にものがヒューズ当たることがないので破損しにくく、ヒューズ単体のメンテナンス性が向上する。
【００１８】
【発明の実施の形態】
以下、本発明の実施の形態について図面に基づき説明する。
【００１９】
この発明の一実施の形態を図１から図１０に基づいて説明する。すなわち、この照明器具は、図１０に示すように、取付具１と、回路ブロックユニット２と、電源ユニット３を有する。
【００２０】
取付具１は、平板状であって取付面、例えば天井面４に取付ける取付部５を有し、かつ回路ブロックユニット係止部６を有する。まず天井面４には電源線引出穴７を有し、電源線引出穴７より電源線８を引出している。取付具１は例えば金属製の円板であり、外周に周壁９を有し、この周壁９の端部から外方に延びたフランジ部１０を有する。図２に示すように取付具１の中央部に電源線用穴１６を形成し、その両側に取付部５を形成している。一側側の取付部５は１個の鍵穴形ないしだるま形孔であり、他側側の取付部５は２個並列に並んだ長孔により形成している。回路ブロックユニット係止部６は取付具１の表面との間に進入用隙間１２を形成する挟持部１１と、フランジ部１０に形成されたスリット１３とを有する。挟持部１１は切起こしにより鉤形に形成され、その先端にねじ孔１４を形成している。この挟持部１１は一対有し、取付具１の中央に向けて略ハの字形に配置されている。スリット１３も一対有し、取付具１の中央を間にして挟持部１１と反対側のフランジ部１０に形成している。フランジ部１０のスリット１３間には回路ブロックユニット２の回路ブロックの放熱用の孔１５を複数形成している。なお、取付具１のフランジ部１０に一対の切欠き４５が形成され、切欠き４５の端部にガイド部４６が延出し、ガイド部４６の付根側で取付具１の裏面に押さえ片４７を設けている。
【００２１】
回路ブロックユニット２は、ランプソケット１８および回路ブロック１９を内蔵し、回路ブロックユニット係止部６に係止される被係止部２０を有する。実施の形態における回路ブロック１９は充電回路、点灯回路およびモニタランプの点検スイッチ回路を有する。被係止部２０は、回路ブロックユニット２を取付具１の表面に当接しスライドすることにより回路ブロックユニット係止部６に係止するように形成されている。すなわち被係止部２０は回路ブロックユニット２をスリット１３から挟持部１１の方向（図２（ｃ）の矢印）へスライドしたとき、挟持部１１の進入用隙間１２に嵌合する被挟持部２１と、スリット１３に係合する被係合部２２とを有する。被挟持部２１は回路ブロックユニット２の先端角部に形成され、ねじ孔１４に整合するねじ挿通孔２７を形成し、挟持部１１の切起こしにより形成された穴を通してねじ挿通孔２７側からねじ（図示せず）を挿通し、ねじ孔１４に螺合される。回路ブロックユニット２の後端側はフランジ部１０の放熱孔１５上に位置しかつ、フランジ部１０から浮くように切欠き形成されている。被係合部２２は略Ｌ字形であって、回路ブロックユニット２の後端側の両側よりフランジ部１０に向けて突出し、その先端のかぎ部がスリット１３に係止して抜止めとなる。この回路ブロックユニット２は取付具１上で取付具１の電源線用穴１６のある中央部からスリット１３のある一周縁部の範囲に位置し、その中央部に対応してランプソケット１８を有するとともに被挟持部２１の間に電源ユニット取付部２３を有する。また回路ブロックユニット２は取付具１の中央部から一縁部に延びる方向と直角な方向となる側面に凹部２４を有する。凹部２４は回路ブロックユニット２の両側面に有し、凹部２４に対応する取付具１に取付部５を有する。また被挟持部２１の上側にも逃げ凹部５０を形成している。さらに回路ブロックユニット２は後端部の一側面にコネクタ受け部２５を有し、取付具側と反対側の面にモニタランプ点検スイッチの引き部５１を露出し、その近傍に放熱孔５３を形成している。またランプソケット１８の後端側に例えば速結型の端子５４を設け、電源線穴１６に臨ませ、電源線８を接続している。図２（ｂ）において、３３は電源線８の接続部カバーであり、ねじ５６とナット５７により取付具１に取付けている。
【００２２】
電源ユニット３は、略コ字形であって、取付具１上の回路ブロックユニット２の周囲に配置している。実施の形態の電源ユニット３は、略コ字形の電池ケース６０と、蓋部６１からなる電池収納ボックス１２０内に素電池群例えば複数の充電電池６２からなる電池ユニットを収納している。
【００２３】
電池ケース６０の内底部には、その両側にリブ１２２を形成し、充電電池６２の内底部側端部を支持するとともに電池ケース６０の内底面と充電電池６２との間にリード１２１が通るスペースを形成している。実施の形態のリブ１２２は図１に示すように、電池ケース６０の内周壁および外周壁より内側の位置でそれらに平行に形成され、リブ１２２の相互は電池の直径よりも小さい間隔になっているとともに、リブ１２２と内周壁および外周壁との間に補助リブ１２３を形成している。このリブ１２２に充電電池６２が載ると充電電池６２が底面から浮いて支持されるのでそのスペースにリード１２１が収納されることとなる。リード１２１は例えば矩形板を用い、隣接する充電電池と６２の各電極に両端を例えばスポット溶接により接続している。
【００２４】
電池ケース６０は一側部に電池ユニットを出し入れする略コ字形の開口部１２３を有し、開口部１２３を塞ぐ略コ字形の蓋部６１を設けている。電池ケース６０の内側面に電池ユニットの充電電池６２を保持する縦リブ６９を有し、縦リブ６９に蓋部６１に設けた係止爪６６を例えば着脱自在に受ける爪受け部６７を設けている。実施の形態では、蓋部６１の内外周にそれぞれ複数の係止爪６６を電池ケース６０に向けて突出し、電池ケース６０に爪受け部６７を形成している。この場合、内周側は縦リブ６９以外の箇所に係止爪６６および爪受け部６７を突出させ、外周側はケース６０内に突出するように縦リブ６９の外面に形成した溝内に爪受け部６７を形成し、係止爪６６をこれに対応して蓋部６１に形成している。なお係止爪６６を電池ケース６０に設け爪受け部６７を蓋部６１に設けてもよい。
【００２５】
蓋部６１は外表面にフランジ部１０に載置する当接面３５を有するとともに周壁９の内周に当接する段部３６を有し、かつ電池ケース６０に回路ブロックユニット２の電源ユニット取付部２３に取付ける被取付部３７を有する。段部３６は略円形状に形成され、取付具１に略垂直に周壁９に嵌合した状態で取付具１の径方向にスライドできないようにしている。そして内周の一対の係止爪６６および爪受け部６７の組で電源ユニット３の内側面に設けた、凹部２４に嵌合する突起部３８を兼ねている。内周側の残りの一対の係止爪６６および爪受け部６７の組は逃げ凹部５０に位置する。
【００２６】
ケース６０内には上記したように電池ユニットが収納されている。電池ユニットは複数の充電電池６２を電池ケース６０に合わせて略コ字状に横並べし各充電電池６２の電極相互間をリード１２５により接続したものである。複数の充電電池６２は直列に接続されている。各充電電池６２は電池ケース６０の縦リブ６９により位置決めされかつ電池相互が仕切られるように保持されている。また電池ユニットの略コ字状の略中央の２つの充電電池６２間をヒューズ７１を介して接続するとともにヒューズ７１を２つの充電電池６２上にまたがって蓋部６１側に配置している。一方、蓋部６１のヒューズ７１が位置する部位にヒューズ７１を着脱するためのヒューズ出し入れ用開口部８９を設け、ヒューズ出し入れ用開口部８９の周縁に、少なくとも一部でよいが、障壁８８を設けている。実施の形態では障壁８８を平面凸の字形の突部により形成し、その広幅となる中央部およびその外側面にまたがって開口部８９を形成している。ヒューズ７１は障壁８８の下方に位置し、開口部８９より着脱可能としている。１３０はヒューズ支持台である。また両端の電池にリード線７２が接続されて、コネタク部３９に接続されている。
【００２７】
上記したように、電池ケース６０は略コ字状の内側に回路ブロックユニット２を配置する大きさを有し、電池ケース６０の端部に回路ブロックユニット２と電気的接続を行うためのコネクタ部３９を保持するコネクタ保持部７４を有し、コネクタ保持部７４は電池ケース６０の一端部に突設され、コネクタ部３９を挿入させる凹部１２６を有し、凹部１２６の内側面にコネクタ部３９を抜止め係止する爪部７５を有し、凹部１２６の回路ブロックユニット側の側壁１２７の爪部７５の両側に切欠き状のスリット１２８を設けて爪部７５を弾性変形可能に可動にしている。この場合、凹部１２６の前端部を開口させ、凹部１２６の底部の開口側に抜止め部１２９を例えば突設している。一方コネクタ部３９は凹部１２６に嵌合する柱状をなし、基端部の両側にフランジ状の係止片７６を突設するとともに前端面に抜止め部１２９が係止する係当部１３０を例えば溝により形成している。取付けは、図１（ｂ）に示すように片方の係止片７６を爪部７５の一方に係止するように凹部１２６内に斜めにコネクタ部３９を挿入し、つぎに矢印のようにコネクタ部３９を回動することにより、他方の爪部７５を可動させて係止片７６を可動側爪部７５に係止している。このとき抜止め部１２９が係当部１３０に係止するためコネクタ部３９は開口からも抜け出ることができない。コネクタ部３９は電源ユニット３を回路ブロックユニット２に取付けるのと同時にコネクタ受け部２５に接続される。このとき、可動側の爪部７５の外面は回路ブロックユニット２の側面に当接し、外向きの可動が規制されてコネクタ部３９が外れなくなる。
【００２８】
実施の形態の被取付部３７は電源ユニット３の略コ字形の内周側面の略中央に基端部が取付けられて先端部が取付具１から離れる方向および回路ブロックユニット２の方向に延びた板ばねである。板ばねは基端部７７が広幅になってレの字形に折り畳まれ、基端部７７の中央に係止孔７８を形成し、電池ケース６０の内周面の中央に基端部７７の両側を挿入させる一対の溝部７９を形成し、溝部７９の間に係止孔７８に係止する抜止め爪８０を形成している。また蓋部６１に溝部７９の端部を塞ぐ抜止め部８２を突設している。板ばねはその中間部に係止段部４０を屈曲しており、電源ユニット取付部２３は係止段部４０に係止して電源ユニット３を外れ止めする引掛面２３ａを有し、板ばねの先端部を電源ユニット３の内周側面側に弾性変形することにより係止段部４０を電源ユニット取付部２３から離脱可能としている。板ばねの先端部は電源ユニット３の取り外し操作がしやすいように内向きに曲げている。
【００２９】
カバー９０は有底円筒形であり、底部中央穴９１の内面側にラッパ形の反射鏡９２を配置している。カバー９０の開口縁の内周面に係止片９３を突設し、係止片９３が取付具１のガイド部４６に沿って取付具１の裏面に摺動し押さえ片４７により押さえ固定される。９４はスイッチ用穴である。
【００３０】
照明器具の組み立てについて説明する。取付具１に回路ブロックユニット２をスライドして挟持部１１に被挟持部２１をスライドし、スリット１３に被係止部２２をスライドして係止し、ねじ挿通孔２７を通して被挟持部２１のねじ孔１４にねじを締めつける。天井から引き下ろした電源線８を端子５４に接続し、取付具１の取付部５を通して天井４に木ねじ９６で取付ける。電源ユニット３の段部３６を取付具１の周壁９に嵌合し、同時に突起部３８を凹部２４に嵌合し、係止爪６６および爪受け部６７の組を逃げ凹部５０に位置させるように嵌め、さらにコネクタ部３９をコネタク受け部２５に接続し、電源ユニット３を取付具１に対して押すことにより被取付部３７の板ばねの係止段部４０を引掛面２３ａに引掛け、これにより取付具１に電源ユニット３を取付ける。カバー９０内に反射鏡９２を載せてカバー９０を回路ブロックユニット２および電源ユニット３に被せ、その係止片９３を切欠きよりガイド片４６に沿って摺動し押さえ片４７に押し込む。これにより取付が完了する。穴９１を通して非常灯用ハロゲン電球９９をランプソケットに装着する。
【００３１】
以下、主な構成要素の働き等について説明する。
（１）ヒューズ取付位置
図に示された器具構造で使用される電池ユニットで、電池ユニットの電気的安全性を確保するために電気が通電する経路の中でヒューズ７１を取付ける必要性がある。本発明は図に示すほぼ中央の電池間の位置にヒューズ７１を取付けた。これは以下に示す理由により決められた。
【００３２】
第１に、電池収納ボックス１２０の内部に収まる素電池例えば充電電池６２は少なくとも２個以上であり、ヒューズ７１は２個の素電池にまたがって溶接されている。また略コ字形の電池収納ボックス１２０の略中央部には被取付部３７すなわち電池取付金具（１カ所）が配置されている。この金具は電池全体の重量を支える役目を果たす。樹脂材料で構成された電池ケース６０および蓋部６１は素電池単体に比べ充分に軽い。従って器具の重量バランスからして電池収納ボックス１２０の略中央付近から外側にかけて素電池を配置することが、重量バランス的に良い。従って電池取付金具（電源ユニット支持点）付近に素電池を配置させることで電源ユニット全体から見ても安定した固定ができる利点がある。
【００３３】
第２に、上記以外（略中央部以外のエリア）では、器具施工時に回路ブロックユニット２の取付具１に取付部（木ねじにて器具と天井面を固定する）５が配置されている関係上、ねじ頭部形状があることで空間的余裕のあるスペースがとれない。仮に蓋部６１の形状をねじ頭部分だけ逃がしたとしても、内部配線の処理上の都合と電源ユニット３にある発熱部品により素電池が熱による温度上昇の影響を受ける。これらの理由により電池ユニット内部での熱発散性を確保する目的で蓋部６１の形状を設けている。
【００３４】
第３に、上記第１および第２の条件下で更に、電圧降下をより低減でき、電線長がより短くできる利点を鑑みてコネクタ部３９側に近い配置にするのが好ましい。本発明品でのヒューズ７１の位置は略中央部でもコネクタ部３９側に近い方の電池２セルとしている。
【００３５】
（２）  コネクタ保持部７４の爪部７５の可動が片方のみ
電源ユニット３は回路ブロックユニット２側との電気的接続となるコネクタ部３９を有している。電池収納ボックス１２０へのコネクタ部３９の取付は、電池ケース６０側に設けてある爪部７５にコネクタ部３９のフランジ部である係止片７６を利用して掛かり止めする。爪部７５はコネクタ部３９の両側にあり、片側は下端側を支点として弾性変形により可動にでき、回路ブロックユニット２側に配置される。もう一方の爪部７５は固定であり可動にできない。コネクタ部３９は固定側の爪部７５に係止片７６を引掛け、そこを支点に回転させ可動側の爪部７５を外側に開かせることで爪部７５を乗り越え取付けできる。一方、電源ユニット３を回路ブロックユニット２から外すときコネクタ部３９に加わる外力の作用次第では可動爪部７５が開きコネクタ部３９が外れることも想定できる。本発明品では外れる可能性のある可動側爪部７５が回路ブロックユニット２側に近接して配置され、電源ユニット３の脱着の際、可動側爪部７５が開こうとした時に回路ブロックユニット２の壁面に当たって開かないようになっている。
【００３６】
（３）電池収納ボックス１２０の内面周縁には、収納される各充電電池６２を所定の位置に精度良く配置するため、また電極にリード１２１をスポット溶接する時の位置出し治具としても活用するために縦リブ６９が形成されている。またこの縦リブ６９とケース内側面間の空間スペース内に蓋部６１側にある係止爪６６が係止する爪受け部６７が設けられていて、係止爪６６と爪受け部６７が係止することで電池ケース６０と蓋部６１が嵌合する。このように縦リブ６９は充電電池６２の配置機能と電池ケース６０と蓋部６１の嵌合機能とを共用させている。
電池ケース６０の外周に位置する縦リブ６９は外面に溝を設け、溝に爪受け部６７を設け、これに対応して蓋部６１に係止爪６６を設けているため、電源ユニット３の外周部外側に突出して爪受け部６７および係止爪６６を設けずにすみ、器具の外郭となるカバー９０が装着されたときにも電源ユニット３との接近した空間距離の中で最小限に小さく形成できる利点がある。
（４）電池収納ボックスの内部底面のリブ
充電電池６２間での通電を得るため、連絡部材例えばリード（連絡板）１２１やリード線７２をスポット溶接する。このスポット溶接の仕上がり度合い（溶接状態による抵抗ロス、溶接強度など）は溶接時の加圧力と電流値に左右される。この連絡部材のスポット溶接は、充電電池６２をほぼ同じ高さ（高さをほぼ面一に統一する）に保って溶接することにより、溶接後の仕上がり度合（溶接強度、溶接部の電気的ロス）がほぼ均一になり、より安定した溶接が可能となる。
【００３７】
本発明品は電池ケース６０の内底部に充電電池６２の両端が充分かかる様（間隔は充電電池６２の中央部付近にリード１２１が挿通できる程度）にリブ１２３を形成する。更にこのリブ１２３には、上記目的を達成すると同時に電池収納ボックス１２０の剛性（変形に対する強度アップ）を上げる役割も果たし、部品としての電池ケース（樹脂成形品）６０の反りの低減、また電源ユニット３が器具に装着された時（器具使用状態時）に、電池固定金具（３７）による１点支持であるために充電電池６２が多く入った場合に充電電池の重量によるユニット端部の変形量を低減させる働きがある。
（５）ヒューズ着脱用の開口部形状
ヒューズ７１の取り外しは、ヒューズ７１の横側で蓋部６１にある開口部８９からマイナスドライバー状のような治具でヒューズ７１の下側を突き上げることで行える。また、取付けは蓋部６１の真上側から開口部８９より推し込むことでヒューズ７１が定位置に固定される。
（６）ヒューズ７１の上部の蓋部の形状
ヒューズ７１の周辺形状として、蓋部６１自体から張り出す障壁８８を形成することで、物が当たってもヒューズ７１が破損する等の問題がない。
【００３８】
【発明の効果】
請求項１記載の電池収納ボックスによれば、電池ケースの内底部にリブを設け、リブで各素電池の内端部を支持し、リブ間にリードが通るスペースを形成したため、素電池の外端部側の高さをほぼ均一に揃えることができるとともに、リードが内底部に素電池により押付けられないので外れるおそれがなく、接続の確実性を保持することができ、例えばスポット溶接等の接続の信頼性が向上できる。またリブにより電池ケースの内底部を補強することができ、剛性強度を向上できる。
【００３９】
請求項２記載の電池収納ボックスによれば、請求項１と同様な効果のほか、コネクタをコネクタ保持部の凹部に押し込む際に一側壁の爪部が両側のスリットにより分離されているためたとえば樹脂弾性により可動になるので圧入容易になる。したがって爪部によりコネクタが外れにくい構造でありながら取付性がよくなる。
【００４０】
請求項３記載の電池収納ボックスによれば、請求項２と同様な効果のほか、蓋部の係止爪を爪受け部に係止することにより蓋部を閉じることができるので作業容易になる。
【００４１】
請求項４記載の電源ユニットによれば、ヒューズの取付位置により、あらゆる電池本数に対応した電池ユニットを構成でき、重心バランスが良く、しかも電圧降下をより低減できる。
【００４２】
請求項５記載の電源ユニットによれば、請求項４と同様な効果のほか、ヒューズ出し入れ用開口部からヒューズの交換が容易にできるとともに、障壁により不用意にものがヒューズ当たることがないので破損しにくく、ヒューズ単体のメンテナンス性が向上する。
【図面の簡単な説明】
【図１】この発明の一実施の形態を示し、（ａ）は電源ユニットの蓋部を外した状態の平面図、（ｂ）はコネクタ保持部へのコネクタ部の取付けの説明図である。
【図２】取付具および回路ブロックユニットを示し、（ａ）はその組み立て状態の底面図、（ｂ）はコードカバーを含む側面図、（ｃ）は取付具の底面図である。
【図３】（ａ）は取付具、回路ブロックユニットおよび電源ユニットの組み立て状態の一部破断側面図、（ｂ）はそのコネクタ部分の接続状態の部分斜視図、（ｃ）はコネクタ部分の接続を外した状態の部分斜視図である。
【図４】（ａ）は回路ブロックユニットの平面図、（ｂ）はその側面図である。
【図５】回路ブロックユニットの底面図である。
【図６】照明器具の天井取付状態の断面図である。
【図７】図６の断面図である。
【図８】電源ユニットの平面図である。
【図９】その正面図である。
【図１０】照明器具の分解斜視図である。
【符号の説明】
２    回路ブロックユニット
３    電源ユニット
３９    コネクタ部
６０    電池ケース
６１    蓋部
６２    充電電池
６６    係止爪
６７    爪受け部
６９    縦リブ
７１    ヒューズ
７４    コネクタ保持部
７５    爪部
８９    ヒューズ出し入れ用開口部
１２０    電池収納ボックス
１２１    リード
１２２    リブ
１２３    開口部
１２６    凹部
１２８    スリット
【図１】
2004185842.tif 000003
【図２】
2004185842.tif 000004
【図３】
2004185842.tif 000005
【図４】
2004185842.tif 000006
【図５】
2004185842.tif 000007
【図６】
2004185842.tif 000008
【図７】
2004185842.tif 000009
【図８】
2004185842.tif 000010
【図９】
2004185842.tif 000011
【図１０】
2004185842.tif 000012